(57)【要約】【課題】  絵筆を保護した状態で携帯し、簡単に使用できる携帯用筆入れを提供する。【解決手段】  蝶番を介して開閉するとともに、筆や刷毛などの柄を有する細長い形状の画具を区別けして筆収納体と、該筆収納体に画具を収納し、閉じた状態で塞ぐことで筆容器となる筆容器蓋と前記筆収納体と筆容器蓋を着脱可能に固定する筆収納具着脱機構とより成り、前記筆収納体は、開いた状態で立設可能、かつ横にした状態で安定する底の役割を成す側面を形成する形状となったものであることを特徴とする。【選択図】図１
2007175457.tif 000002
【特許請求の範囲】
【請求項１】
蝶番を介して開閉するとともに筆や刷毛などの柄を有する細長い形状の画具を区分けして収納する筆収納体と、該筆収納体に画具を収納し閉じた状態で塞ぐことで筆容器となる筆容器蓋と、前記筆収納体と筆容器蓋を着脱可能に固定する筆収納具着脱機構とよりなり、前記筆収納体は開いた状態で立設可能かつ横にした状態で安定する底の役割をなす側面を形成する形状となったものであることを特徴とする携帯用筆入れ。
【請求項２】
筆収納体をイーゼルのキャンバス固定版に吊り下げる吊り下げベルトと、該吊り下げベルトを前記筆収納体に着脱可能に固定するベルト着脱機構を備えたものであることを特徴とする請求項１記載の携帯用筆入れ。
【請求項３】
筆容器に着脱可能に取り付けられるとともに油ツボを収納することのできる補助容器を備えたことを特徴とする請求項１または２記載の携帯用筆入れ。
【発明の詳細な説明】
【技術分野】
【０００１】  本発明は、絵筆を保護した状態で携帯し、簡単に使用できる携帯用筆入れに関するものである。
【背景技術】
【０００２】  従来、油絵のレッスンに通う場合、絵筆を持ち歩くのにふさわしい容器がないので、止むを得ずボロ布などで保護していた。
市販の油絵セットとして、木製の箱が有り、約２０ｃｍ×１０ｃｍ×４０ｃｍ位の大きさで約５ｃｍ深さの蓋と身から成る。
身は、絵具、油つぼ、筆入れの三区画から成り、筆入れの収納部は筆をまとめて入れ使用する。
【発明の開示】
【発明が解決しようとする課題】
【０００３】  市販の木製の箱は重く、携帯時の負担が大きく、尚かつ絵筆を保護するのは困難である。
レッスンに通う時は、重さが負担になるので木製の箱は殆んど使用しない。
従ってボロ布等で筆先を保護し携帯するが、この場合、筆先の変形を招くことが多く筆全体の消耗を早くする。
木製の箱の筆入れの収納部は筆を裸のまま、まとめて入れるので筆先の変形のみならず、筆同士の絵具の付着や筆の出し入れの不便を払拭できない。
【課題を解決するための手段】
【０００４】  蝶番を介して開閉するとともに、筆や刷毛などの柄を有する細長い形状の画具を区別けして収納する筆収納体と、該筆収納体に画具を収納し、閉じた状態で塞ぐことで筆容器となる筆容器蓋と、前記筆収納体と筆容器蓋を着脱可能に固定する筆収納具着脱機構とより成り、前記筆収納体は開いた状態で立設可能、かつ横にした状態で安定する底の役割を成す側面を形成する形状となったものである
以上を特徴とする携帯用筆入れである。
【発明の効果】
【０００５】  以上により、絵筆は常時穂先が保護され安全に守られる。
絵筆同士の付着も少なく、多色の描き分けも可能である。
絵筆の差し込み口に大小を設けたので、大筆、小筆、パレットナイフ等も差し込み可能である。
描く時の都合に合わせ、立設してもテーブル面に横にしても、又、吊り下げベルトを設けることにより、イーゼルに取りつけて使用することもできる。
又、補助容器を備えたことで、油つぼも一体にして携帯できる。
この際、従来のような転倒によるこぼれが防げるので、仕末がよくベトベト汚れから解放される。
【発明を実施するための最良の形態】
【０００６】  本発明の実施の形態について説明する。
（イ）本発明は図１、図２のように筆容器（１）と補助容器（２）より構成される。
（ロ）筆容器（１）は図４のように筆収納体（３）と筆容器蓋（４）より構成される。
（ハ）筆収納体（３）は、図５、図６のように２つの筆収納体構成体（２８）と、図３、蝶番（１２ａ）、止メ具受け（１４ａ）、図４に示すように嵌合部（５ａ）、開口部（７）より構成される。
（ニ）図５、図６のように、２つの筆収納体構成体（２８）は、側面部接合面体（８）と、仕切り（９）、補助仕切り（１０）、底（１１）、底面兼用側面（２７）から構成される。
側面部接合面体（８）は磁気を帯びた素材で、開口部（７）の中央に設けられている。
側面部接合面体（８）の左右両面を合わせることにより、全体が八角柱状となる。
仕切り（９）は筆の柄の太さに合わせて設けられたもので、上部から画具を差し込む、差し込み口を有する。
補助仕切り（１０）は大筆やパレットナイフ等の差し込み口として使用する。
底面兼用側面（２７）は図８のように２つの筆収納体構成体（２８）をテーブル上で横倒しの状態で使用する時、底面となる。
底（１１）は側面部接合面体（８）を左右に開いている時、解放されているので掃除が容易である。
（ホ）図３、蝶番（１２ａ）は２つの筆収納体構成体（２８）を接合して、開閉するために着いている。
図３、止メ具受け（１４ａ）は筆収納体（３）に筆容器蓋（４）をかぶせた時固定されるもの。
図４、嵌合部（５ａ）は側面部高さ位置から突き出た円柱形状となっていて、筆容器蓋（４）をかぶせる時の受け部である。
開口部（７）は筆使用時、使用後の開閉に使う。
（ヘ）筆容器蓋（４）は図３、図４のように嵌合凸部（６）、可動止メ具（１３ａ）を有するものである。
嵌合凸部（６）は図１、図２のように補助容器（２）を乗せるために使用する。
可動止メ具（１３ａ）は、図３ｂのように筆収納体（３）止メ具受け（１４ａ）と合体させる時に使用する。
（ト）補助容器（２）は図１１のように補助収納部（２０）、補助蓋（２１）、蝶番（１２ｂ）、嵌合部（５ｂ）、止メ機構（２６ａ、２６ｂ）、図１２のように、バネ（２２）、持ち上げ部（２３）より構成される。
補助収納部（２０）は油つぼの収納部となる。
補助蓋（２１）は補助収納部（２０）にかぶせる。
蝶番（１２ｂ）は補助収納部（２０）と、補助蓋（２１）をつなぎ、開閉に使う。
嵌合部（５ｂ）は側面部高さ位置から突き出た円柱形状となっていて、補助蓋（２１）をかぶせる時の受け部である。
止メ機構（２６ａ、２６ｂ）は補助収納部（２０）と補助蓋（２１）を固定する。
図１２、バネ（２２）は油つぼを補助収納部（２０）に収納する時、持ちあげたり、元へ戻したりするのに使用する。
持ち上げ部（２３）は、油つぼの底面の差し込み板を固定させる。
（チ）図１３、１４、１５、１６、１７、１８、１９は吊り下げベルトの使用方法に関するものである。
吊り下げ主ベルト（３０）吊り下げ補助ベルト（３１）筆収納体内部（３２ａ）筆収納体外部（３２ｂ）面ファスナー（３３ａ）面ファスナー（３３ｂ）吊り下げかけ具（３４ａ）吊り下げかけ具（３４ｂ）吊り下げ受け具（３５ａ）吊り下げ受け具（３５ｂ）より構成される。
吊り下げベルトは吊り下げ主ベルト（３０）吊り下げ補助ベルト（３１）より成る。
吊り下げ主ベルト（３０）と吊り下げ補助ベルト（３１）の先端には夫々、吊り下げかけ具（３４ａ）、吊り下げかけ具（３４ｂ）がついている。
吊り下げ主ベルト（３）の中央部には、面ファスナー（３３ｂ）先端部には面ファスナー（３３ａ）が着いていてキャンバス固定板に巻き固定する時に使用する。吊り下げベルトは、図１３，図１４のように、２つの筆収納体構成体（２８）を、イーゼルのキャンバス固定板に取りつけて、ぶら下げた状態で筆を出し入れするために使用する。
吊り下げベルトは左右１本づつ２本使用する。
筆収納体内部（３２ａ）と筆収納体外部（３２ｂ）には、吊り下げ受け具（３５ａ）、吊り下げ受け具（３５ｂ）が取りつけられ、イーゼルのキャンバス固定板に吊り下げ主ベルト（３０）を巻き、面ファスナー（３３ａ）と、面ファスナー（３３ｂ）を合わせて使用する。
【図面の簡単な説明】
【０００７】
【図１】  本発明の斜視図
【図２】  本発明の分解斜視図
【図３】  本発明の説明図
【図４】  本発明の筆収納体と筆容器蓋の正面図
【図５】  本発明の筆収納体の斜視図
【図６】  本発明の筆収納体の説明図
【図７】  本発明の筆収納体構成体の端面図
【図８】  本発明の筆収納体を横にして使用する形態図
【図９】  本発明の補助容器正面図
【図１０】  本発明の補助容器正面形態図
【図１１】  本発明の補助容器側面形態図
【図１２】  本発明の使用説明図
【図１３】  本発明の使用状態図
【図１４】  本発明の使用時の要部説明図
【図１５】  吊り下げベルトの側面図
【図１６】  吊り下げベルトと筆収納体の使用時の要部説明図
【図１７】  筆収納体外部に吊り下げ受け具を取りつけた側面図
【図１８】  筆収納体外部に吊り下げ受け具を取りつけた立設背面図
【図１９】  筆収納体内部に吊り下げ受け具を取りつけた立設正面図
【符号の説明】
【０００８】１  筆容器
２  補助容器
３  筆収納体
４  筆容器蓋
５；５ａ；５ｂ  嵌合部
６  嵌合凸部
７  開口部
８  側面部接合面体
９  仕切り
１０  補助仕切り
１１  底
１２；１２ａ；１２ｂ  蝶番
１３ａ  可動止メ具
１４ａ  止メ具受け
２０  補助収納部
２１  補助蓋
２２  バネ
２３  持ち上げ部
２６；２６ａ；２６ｂ  止メ機構
２７  底面兼用側面
２８  筆収納体構成体
３０  吊り下げ主ベルト
３１  吊り下げ補助ベルト
３２；３２ａ；３２ｂ  筆収納体
３３；３３ａ；３３ｂ  面ファスナー
３４；３４ａ；３４ｂ  吊り下げかけ具
３５；３５ａ；３５ｂ  吊り下げ受け具
【図１】
2007175457.tif 000003
【図２】
2007175457.tif 000004
【図３】
2007175457.tif 000005
【図４】
2007175457.tif 000006
【図５】
2007175457.tif 000007
【図６】
2007175457.tif 000008
【図７】
2007175457.tif 000009
【図８】
2007175457.tif 000010
【図９】
2007175457.tif 000011
【図１０】
2007175457.tif 000012
【図１１】
2007175457.tif 000013
【図１２】
2007175457.tif 000014
【図１３】
2007175457.tif 000015
【図１４】
2007175457.tif 000016
【図１５】
2007175457.tif 000017
【図１６】
2007175457.tif 000018
【図１７】
2007175457.tif 000019
【図１８】
2007175457.tif 000020
【図１９】
2007175457.tif 000021